(57)【要約】【課題】ロール紙等の用紙の交換時に印字装置や出力装置本体側のＣＰＵに対し静電気による電気的なダメージを与えることのない出力装置を提供する。【解決手段】情報をロール紙１（用紙）に印字して出力する出力装置に関し、ロール紙１の交換時にロール紙１のホルダ部４と印字装置５を保持して手前に引き出される可動トレイ３を備え、該可動トレイ３の前面のオープンスイッチ６と一体に導電部１０を設けて該導電部１０を接地させる。【選択図】図１
2006021337.tif 000002
【特許請求の範囲】
【請求項１】
情報を用紙に印字して出力する出力装置であって、用紙の交換時に用紙のホルダ部と印字装置を保持して手前に引き出される可動トレイを備え、該可動トレイの前面に導電部を設けて該導電部を接地させたことを特徴とする出力装置。
【請求項２】
可動トレイの前面に該可動トレイのオープンスイッチを備え、該オープンスイッチと一体に導電部を設けたことを特徴とする請求項１に記載の出力装置。
【請求項３】
可動トレイの前面に該可動トレイのオープンスイッチを備え、該オープンスイッチの近傍に導電部を設けたことを特徴とする請求項１に記載の出力装置。
【請求項４】
情報を用紙に印字して出力する出力装置であって、用紙の交換時に用紙のホルダ部と印字装置を保持して手前に引き出される可動トレイを備え、該可動トレイの前面を除く周囲の前面部分に導電部を設けて該導電部を接地させたことを特徴とする出力装置。
【請求項５】
可動トレイの前面を除く周囲の前面部分に前記可動トレイのオープンスイッチを備え、該オープンスイッチと一体に導電部を設けたことを特徴とする請求項４に記載の出力装置。
【請求項６】
可動トレイの前面を除く周囲の前面部分に前記可動トレイのオープンスイッチを備え、該オープンスイッチの近傍に導電部を設けたことを特徴とする請求項４に記載の出力装置。
【発明の詳細な説明】
【技術分野】
【０００１】
本発明は、情報を用紙に印字して出力する出力装置に関するものである。
【背景技術】
【０００２】
従来より商業車輌では就業時間中の運行記録を記憶し且つその運行記録をロール紙に印字して出力する出力装置を搭載したものがあり、一日の就業を終えた時に運行記録をロール紙に印字して勤務先に報告書として提出することが行われている。
【０００３】
図１１〜図１３に示す如く、この種の出力装置においては、印字されたロール紙１を出力する排紙口２（図１１参照）のある部分が可動トレイ３として手前に引き出されるようになっており、この可動トレイ３には、ロール紙１のホルダ部４が印字装置５と一緒に保持されていて（図１２参照）、ロール紙１の交換時に前記可動トレイ３を引き出して前記ホルダ部４に対し新たなロール紙１を付け替え得るようにしてある。
【０００４】
ここで、可動トレイ３の引き出しについては、該可動トレイ３の前面にあるオープンスイッチ６を指で押すことで実行されるようになっており、また、可動トレイ３の前面を除く周囲の前面部分には、印字等を指示するための各種の操作スイッチ７が配置されている。
【０００５】
尚、この種の出力装置に関連する適当な先行技術文献情報は特に見つからなかったが、一般的なプリンタに関する技術を開示した先行技術文献情報としては例えば下記の特許文献１等がある。
【特許文献１】特開平５−１４７２８５号公報
【発明の開示】
【発明が解決しようとする課題】
【０００６】
しかしながら、前述した如き従来の出力装置においては、ロール紙１の交換時に引き出された可動トレイ３の裏面に、印字装置５と出力装置本体８側のＣＰＵ（中央処理装置）との間を繋ぐジャンパー線９（図１３参照）が露出してしまい、冬期等に乾燥した車内で衣服が擦れる等して静電気を帯びた運転者等が、ロール紙を交換するために可動トレイ３の下部を手で支えた時に、その指先等がジャンパー線９に触れて高電圧が印加され、デリケートな印字装置５や出力装置本体８側のＣＰＵに電気的なダメージを与えて損傷させてしまう虞れがあった。
【０００７】
本発明は上述の実情に鑑みてなしたもので、ロール紙等の用紙の交換時に印字装置や出力装置本体側のＣＰＵに対し静電気による電気的なダメージを与えることのない出力装置を提供することを目的としている。
【課題を解決するための手段】
【０００８】
本発明は、情報を用紙に印字して出力する出力装置であって、用紙の交換時に用紙のホルダ部と印字装置を保持して手前に引き出される可動トレイを備え、該可動トレイの前面に導電部を設けて該導電部を接地させたことを特徴とするものである。
【０００９】
而して、このようにすれば、可動トレイを手前に引き出して用紙を交換する際に、その交換作業の一連の動作のうちで少なくとも可動トレイの裏面に触れるよりも先に可動トレイの前面に手が触れることになり、これによって、用紙交換の作業者に帯電している静電気が導電部から逃がされて作業者と出力装置側との電位差がなくなるので、その後で可動トレイの裏面のジャンパー線に触れるようなことがあっても高電圧が印加される心配がなく、印字装置や出力装置本体側のＣＰＵに電気的なダメージを与えることがない。
【００１０】
更に、本発明においては、可動トレイの前面に該可動トレイのオープンスイッチを備え、該オープンスイッチと一体に導電部を設けることが好ましく、このようにすれば、可動トレイを手前に引き出すためにオープンスイッチを指先で押すという最初の動作で確実に導電部と指先を触れさせて静電気を逃がすことが可能となる。
【００１１】
また、可動トレイの前面に該可動トレイのオープンスイッチを備え、該オープンスイッチの近傍に導電部を設けることも可能であり、例えば、オープンスイッチを比較的小さなものとして操作時に必ずオープンスイッチの近傍にも触れてしまうようにしておけば、オープンスイッチと一体に導電部を設けた場合と同様に、可動トレイを手前に引き出すための最初の動作で確実に導電部と指先を触れさせることが可能となる。
【００１２】
更に、本発明は、情報を用紙に印字して出力する出力装置であって、用紙の交換時に用紙のホルダ部と印字装置を保持して手前に引き出される可動トレイを備え、該可動トレイの前面を除く周囲の前面部分に導電部を設けて該導電部を接地させたことを特徴とするものでもある。
【００１３】
而して、このようにすれば、可動トレイを手前に引き出して用紙を交換する際に、その交換作業の一連の動作のうちで少なくとも可動トレイの裏面に触れるよりも先に可動トレイの前面を除く周囲の前面部分に手が触れることになり、これによって、用紙交換の作業者に帯電している静電気が導電部から逃がされて作業者と出力装置側との電位差がなくなるので、その後で可動トレイの裏面のジャンパー線に触れるようなことがあっても高電圧が印加される心配がなく、印字装置や出力装置本体側のＣＰＵに電気的なダメージを与えることがない。
【００１４】
更に、本発明においては、可動トレイの前面を除く周囲の前面部分に前記可動トレイのオープンスイッチを備え、該オープンスイッチと一体に導電部を設けることが好ましく、このようにすれば、可動トレイを手前に引き出すためにオープンスイッチを指先で押すという最初の動作で確実に導電部と指先を触れさせて静電気を逃がすことが可能となる。
【００１５】
また、可動トレイの前面を除く周囲の前面部分に前記可動トレイのオープンスイッチを備え、該オープンスイッチの近傍に導電部を設けることも可能であり、例えば、オープンスイッチを比較的小さなものとして操作時に必ずオープンスイッチの近傍にも触れてしまうようにしておけば、オープンスイッチと一体に導電部を設けた場合と同様に、可動トレイを手前に引き出すための最初の動作で確実に導電部と指先を触れさせることが可能となる。
【発明の効果】
【００１６】
上記した本発明の出力装置によれば、下記の如き種々の優れた効果を奏し得る。
【００１７】
（Ｉ）可動トレイを手前に引き出して用紙を交換する際に、作業者に帯電している静電気を導電部から逃がして作業者と出力装置側との電位差をなくすことができるので、印字装置や出力装置本体側のＣＰＵに対し静電気による電気的なダメージを与える虞れを未然に回避することができる。
【００１８】
（ＩＩ）可動トレイのオープンスイッチと一体に導電部を設けた構成を採用すれば、可動トレイを手前に引き出すためにオープンスイッチを指先で押すという最初の動作で確実に導電部と指先を触れさせて静電気を逃がすことができる。
【００１９】
（ＩＩＩ）可動トレイのオープンスイッチの近傍に導電部を設けた構成を採用すれば、オープンスイッチに既存のものをそのまま用いることができてコストの増加を抑制でき、また、オープンスイッチと他の操作スイッチとの共通化を図ることでスイッチ類の誤組み付けを未然に防止することもできる。
【００２０】
（ＩＶ）可動トレイの前面に導電部を設けた構成を採用すれば、この可動トレイの前面を除く周囲の前面部分に装備される他の操作スイッチの密集部を避けて導電部を設けることができるので、レイアウト面での自由度を大幅に向上することができる。
【発明を実施するための最良の形態】
【００２１】
以下本発明の実施の形態を図面を参照しつつ説明する。
【００２２】
図１〜図３は本発明を実施する形態の一例を示すもので、図１１〜図１３と同一の符号を付した部分は同一物を表わしている。
【００２３】
図１〜図３に示す如く、本形態例においては、可動トレイ３の前面に装備されているオープンスイッチ６を金属スイッチとして該オープンスイッチ６と一体に導電部１０を設け、該導電部１０を電気的にバッテリ１１（図１参照）の負極と繋ぐことにより接地させてある。
【００２４】
尚、図中における１２は出力装置本体８側のＣＰＵ（中央処理装置）、１３はオープンスイッチ６により操作される基板スイッチを示す。
【００２５】
而して、このように出力装置を構成すれば、可動トレイ３を手前に引き出してロール紙１を交換する際に、交換作業の一連の動作のうちの可動トレイ３のオープンスイッチ６を指先で押すという最初の動作で確実に導電部１０と指先が触れることになり、これによって、用紙交換の作業者に帯電している静電気が導電部１０から逃がされて作業者と出力装置側との電位差がなくなるので、その後で可動トレイ３の裏面のジャンパー線９（図１３参照）に触れるようなことがあっても高電圧が印加される心配がなく、印字装置５や出力装置本体８側のＣＰＵ１２に電気的なダメージを与える虞れがなくなる。
【００２６】
また、図４及び図５はオープンスイッチ６と一体に設けた導電部１０の別の例を示すもので、ここに図示している例では、オープンスイッチ６を金属インサート樹脂スイッチとして円筒状の金属部分を導電部１０としており、このようにしても可動トレイ３のオープンスイッチ６を指先で押すという最初の動作で確実に導電部１０と指先を触れさせて静電気を逃がすことができる。
【００２７】
更に、オープンスイッチ６を金属インサート樹脂スイッチとして導電部１０を一体に設けるにあたっては、図６及び図７に示す如く、ロッド状の金属部分を中心部に埋設した金属インサート樹脂スイッチを採用しても良い。
【００２８】
また、以上ではオープンスイッチ６と一体に導電部１０を設けた例について説明してきたが、オープンスイッチ６の近傍に導電部１０を設けることも可能であり、例えば、図８及び図９に示す如く、オープンスイッチ６を既存の樹脂スイッチのままにして、その周囲を全周に亘り金属部品により取り囲んで導電部１０とし、この導電部１０を可動トレイ３の前面を成す樹脂素材と共に導電性塗料１４で被覆して目立たなくしたものとしても良い。
【００２９】
このようにしても、オープンスイッチ６が比較的小さなもので操作時に必ずオープンスイッチ６の近傍に触れてしまうような条件であれば、オープンスイッチ６と一体に導電部１０を設けた場合と同様に、可動トレイ３を手前に引き出すための最初の動作で導電部１０と指先を触れさせることができる。
【００３０】
しかも、オープンスイッチ６と別に導電部１０を設ければ、オープンスイッチ６について既存の樹脂スイッチをそのまま用いることができてコストの増加を抑制でき、また、オープンスイッチ６と他の操作スイッチ７との共通化を図ることでスイッチ類の誤組み付けを未然に防止することも可能となる。
【００３１】
また、図８及び図９のようにする以外に、例えば、図１０に示す如く、オープンスイッチ６近傍の操作時に触れ易い箇所に金属部分を露出させて導電部１０とすることも可能である。
【００３２】
更に、以上に説明した各形態例のように、可動トレイ３の前面の何れかに導電部１０を設けた場合、この可動トレイ３の前面を除く周囲の前面部分に装備される他の操作スイッチ７の密集部を避けて導電部１０を設けることができるので、レイアウト面での自由度を大幅に向上することができるというメリットもある。
【００３３】
ただし、前述した図２及び図３、図４及び図５、図６及び図７、図８及び図９、図１０に示した如き導電部１０の構成例は、可動トレイ３の前面を除く周囲の前面部分に対して適用することも可能である。
【００３４】
尚、本発明の出力装置は、上述の形態例にのみ限定されるものではなく、就業時間中の運行記録を印字して出力する出力装置のほか、タクシー料金の領収書の出力装置や、ＥＴＣ用の出力装置にも同様に適用し得ること、また、用紙は必ずしもロール紙でなくて良いこと、その他、本発明の要旨を逸脱しない範囲内において種々変更を加え得ることは勿論である。
【図面の簡単な説明】
【００３５】
【図１】本発明を実施する形態の一例を示す概略図である。
【図２】オープンスイッチと一体に設けた導電部の例を示す平面図である。
【図３】図２のＩＩＩ−ＩＩＩ方向の矢視図である。
【図４】オープンスイッチと一体の導電部の別の例を示す平断面図である。
【図５】図４のＶ−Ｖ方向の矢視図である。
【図６】オープンスイッチと一体の導電部の更に別の例を示す平断面図である。
【図７】図６のＶＩＩ−ＶＩＩ方向の矢視図である。
【図８】オープンスイッチの近傍に設けた導電部の例を示す平断面図である。
【図９】図８のＩＸ−ＩＸ方向の矢視図である。
【図１０】オープンスイッチ近傍の導電部の別の例を示す正面図である。
【図１１】運行記録を印字して出力する出力装置の一例を示す正面図である。
【図１２】図１１のＸＩＩ−ＸＩＩ方向の矢視図である。
【図１３】図１１のＸＩＩＩ−ＸＩＩＩ方向の矢視図である。
【符号の説明】
【００３６】
１  ロール紙（用紙）
３  可動トレイ
４  ホルダ部
５  印字装置
６  オープンスイッチ
１０  導電部
【図１】
2006021337.tif 000003
【図２】
2006021337.tif 000004
【図３】
2006021337.tif 000005
【図４】
2006021337.tif 000006
【図５】
2006021337.tif 000007
【図６】
2006021337.tif 000008
【図７】
2006021337.tif 000009
【図８】
2006021337.tif 000010
【図９】
2006021337.tif 000011
【図１０】
2006021337.tif 000012
【図１１】
2006021337.tif 000013
【図１２】
2006021337.tif 000014
【図１３】
2006021337.tif 000015